(57)【要約】      （修正有）【課題】出かけるとき常時ハンドバック等に携帯可能なものであり、緊急時に窮屈なハイヒール等の靴を脱いで、履き代えるための履物であり、軽量で携帯でき、緊急時に使用し、１回きりの使い捨てもできる緊急用ポータブル靴下付スリッパを提供する。【解決手段】厚手の布織物からなる靴下と、靴下の中に入れられた軽量スリッパとから成り、靴下の底の一部とスリッパの底１の一部を、縫製若しくは接着剤で固着して緊急用ポータブル靴下付スリッパを形成する。【選択図】図１
0003172388.tif 000002
【実用新案登録請求の範囲】
【請求項１】
厚手の布織物からなる靴下と、靴下の中に入れられた軽量スリッパとから成り、靴下の底の一部とスリッパの底の一部を、縫製若しくは接着剤で固着してなる緊急用ポータブル靴下付スリッパ。
【請求項２】
厚手の布織物の厚さが０．１ｍｍ〜１．５０ｍｍであり、靴下の長さは、足首の踝までのもの（短手）、ひざ丈までのもの（中手）、ひざ丈以上のもの（長手）から選ばれる請求項１に記載した緊急用ポータブル靴下付スリッパ。
【請求項３】
軽量スリッパは、底部を樹脂若しくはゴムから選ばれる材料でなる０．０５ｍｍ〜１．００ｍｍ薄い層で補強されており、それ以外のスリッパ底部及び甲部は布製である請求項１に記載した緊急用ポータブル靴下付スリッパ。
【請求項４】
スリッパの甲部と当該スリッパの甲部を覆う靴下の一部を、縫製若しくは接着剤で固着してなる請求項１ないし請求項３のいずれかに記載された緊急用ポータブル靴下付スリッパ。
【請求項５】
スリッパの甲部の先端が、足指が出るように、空間が解放されている請求項１ないし請求項４のいずれかに記載された緊急用ポータブル靴下付スリッパ。
【請求項６】
スリッパの甲部の先端が、足指が出ないように、空間が閉鎖されている請求項１ないし請求項４のいずれかに記載された緊急用ポータブル靴下付スリッパ。
【請求項７】
厚手の布織物からなる靴下が、カラフルな色に染められた請求項１ないし請求項６のいずれかに記載された緊急用ポータブル靴下付スリッパ。
【考案の詳細な説明】
【技術分野】
【０００１】
本考案は、軽量で折りたたむことができる緊急用ポータブル靴下つきスリッパを提供することである。
【背景技術】
【０００２】
最近、大地震とか、台風接近により交通機関が停止し、多くの通勤者が歩いて帰宅する事態が生じることがある。
女性のハイヒール等の通勤用履物は、長時間履いていると足が痛くなったり、腫れたりすることがある。また、職場にスニーカ等を用意している場合は心配ないが、通勤の途中に大地震等に遭遇してしまう場合には、心理的に不安を覚えることがある。
一方、従来から、スリッパとか靴下とか又はそれを組み合わせた履物が提案されている。例えば、二重底にした靴下は、特許文献１に開示され、靴下にクッションを設けたものは特許文献２に開示されている。
【０００３】
また、足を収容し靴下形状の構造を有するフットポケットと靴底表面を強化する靴底部分とを有するスリッパであって、靴底部分は足の形状に合致し立体形のフットベッドを備えた発泡材料の立体形の靴底を有し、立体形の靴底のフットベッド側は織物材料、特に毛状材料の少なくとも１層で被覆され、さらに立体形の靴底はフットポケット内に組み込まれ、さらにフットベッドから離れた位置側に材料を積層することによってフットポケットの靴底表面の内側に結合されることを特徴とするスリッパが開示されている。しかし、このスリッパは、立体形の靴底と靴底表面の内側との間の移行領域の材料が高周波積層により設けられて、フットポケットの靴底領域と立体形の靴底を強固やフットベッドが必要であり、構造が複雑で大量生産には適していない。さらに長く使用するためにスリッパの底には補強材を使用している。
本考案では、軽量で携帯でき、緊急時に使用し、１回きりの使い捨てもできる緊急用ポータブル靴下付スリッパを提供するものである。
【先行技術文献】
【特許文献】
【０００４】
【特許文献１】特開２００２−２６６１０８号公報
【特許文献２】特開平０９−３１６７０５号公報
【特許文献３】特表２００１−５２２１００号公報
【考案の概要】
【考案が解決しようとする課題】
【０００５】
本考案では、ハイヒール等の通勤用履物をはいた女性が、遠い道を歩いて帰るとか、避難施設内にとどまる時に、窮屈なハイヒール等の靴を脱いで、楽な履物に代えるための履物であり、軽量で携帯でき、緊急時に使用し、１回きりの使い捨てもできる緊急用ポータブル靴下付スリッパを提供するものである。
【課題を解決するための手段】
【０００６】
本考案は、厚手の布織物からなる靴下と、靴下の中に入れられた軽量スリッパとから成り、靴下の底の一部とスリッパの底の一部を、縫製若しくは接着剤で固着してなる緊急用ポータブル靴下付スリッパである。
また、本考案の緊急用ポータブル靴下付スリッパにおいては、厚手の布織物の厚さが０．１ｍｍ〜１．５０ｍｍであり、靴下の長さは、足首の踝までのもの（短手）、ひざ丈までのもの（中手）、ひざ丈以上のもの（長手）から選ぶことができる。
さらに、本考案の緊急用ポータブル靴下付スリッパにおいては、軽量スリッパの底部を樹脂若しくはゴムから選ばれる材料でなる０．０５ｍｍ〜１．００ｍｍ薄い層で補強されており、それ以外のスリッパ底部及び甲部は布製とすることができる。
【０００７】
また、本考案の緊急用ポータブル靴下付スリッパにおいては、スリッパの甲部と当該スリッパの甲部を覆う靴下の一部を、縫製若しくは接着剤で固着することができる。
さらに、本考案の緊急用ポータブル靴下付スリッパにおいては、スリッパの甲部の先端が、足指が出るように、空間が解放されているスリッパとすることができる。
また、本考案の緊急用ポータブル靴下付スリッパにおいては、スリッパの甲部の先端が、足指が出ないように、空間が閉鎖されているスリッパとすることができる。
さらに、本考案の緊急用ポータブル靴下付スリッパにおいては、厚手の布織物からなる靴下が、カラフルな色に染められた厚手の布織物とすることができる。
【考案の効果】
【０００８】
本考案の緊急用ポータブル靴下付スリッパは、軽量で、折りたたむこともでき、特製のポーチに入れれば、ハンドバックに収納して持ち歩くことができる。また、本考案の緊急用ポータブル靴下付スリッパは、一般道でも歩けるが、緊急時に体育館等の避難場所において、ハイヒールを脱いでくつろぐことができる。さらに、本考案の緊急用ポータブル靴下付スリッパを持ち歩くことにより、地震や台風などで交通が止まった際の不安を少なくすることができる。
【図面の簡単な説明】
【０００９】
【図１】本考案に係る緊急用ポータブル靴下付スリッパの一例
【図２】スリッパ側面図
【図３】スリッパ底面図
【図４】スリッパ上面図
【考案を実施するための形態】
【００１０】
本考案で用いる靴下は、厚手の布が必要で、薄いと一般道を歩いた時に破ける心配がある。
素材は、木綿、ポリエステル、ポリアミド等通常靴下に用いられている素材を用いる。染色に適した布地が好ましい。
スリッパも布製のものが軽量で好ましい。タオル地でホテルにおいているスリッパは軽量であるので特に好ましい。
靴下とスリッパは、図３、図４の７に示すように、靴底のヘリ部、場合によっては、甲部の一部を縫製するか接着するかで、靴下とスリッパは一体化される。靴下とスリッパを構成する布の厚さや材質を選ぶことにより、軽量化することができる。
スリッパの底部は、表面を樹脂処理、ゴム処理をして、薄い膜を形成することにより強化することができる。
【実施例１】
【００１１】
市販の厚さ０．５ｍｍの木綿地のサイズ２５ｃｍの靴下（ひざ丈までのもの（中手））を用意した。
図２、図３に示すような市販の底の厚さ２．０ｍｍタオル地の甲部付きでサイズ２４．５ｃｍのスリッパを用意した。
スリッパを靴下の中に入れて、靴下の底部とスリッパの底部を合わせ、糸と針で図３の７に示すように縫い合わせた。スリッパ甲部の一部についても、糸と針で図３の７に示すように縫い合わせた。
図１に示す緊急用ポータブル靴下付スリッパを作ることができた。
重量は約１１０ｇで、二つ折りすることができた。
家の中で履いても、一般道で履いても、快適に歩くことができた。
【産業上の利用可能性】
【００１２】
本考案は、災害時に対する不安を少なくし、災害用グッズとして産業上利用価値が高いものである。
【符号の説明】
【００１３】
１    スリッパ底部
２    スリッパ甲部入口
３    スリッパ甲部
４    スリッパ甲部先端
５    スリッパ先端指先部
６    靴下ふくらはぎ部
７    スリッパと靴下の縫製部若しくは接着部
【図１】
0003172388.tif 000003
【図２】
0003172388.tif 000004
【図３】
0003172388.tif 000005
【図４】
0003172388.tif 000006